(57)【要約】【課題】取付部材が外れた場合の本体部の落下を防止する。【解決手段】送風装置は、本体部に連結され、シーリングローゼット（１２）のハンガー部１３に下方からねじ２３にて取り付けられて取付状態となる本体支持部（２１）と、本体支持部（２１）に連結され、本体支持部（２１）の取付状態にてハンガー部（１３）の上に位置する対向部（２６ａ）を有する係合部（２６）とを備える。【選択図】図４
2019086166.tif 000002
【特許請求の範囲】
【請求項１】
空気を吹き出すファンおよび前記ファンを回転させるモータを有する本体部を備え、シーリングローゼットに取り付けられる送風装置において、
前記本体部に連結され、前記シーリングローゼットの取付部に下方から取付部材にて取り付けられて取付状態となる本体支持部と、
前記本体支持部に連結され、前記本体支持部の前記取付状態にて前記取付部の上に位置する対向部を有する係合部とを備えていることを特徴とする送風装置。
【請求項２】
前記シーリングローゼットの前記取付部は、外方側の端部に上方へ突出した上方突出部を有し、前記係合部の前記対向部は、前記本体支持部の前記取付状態にて前記上方突出部と対向する位置に、前記係合部が前記本体支持部とともに下方へ移動したときに前記上方突出部が挿入される突出部挿入部を有していることを特徴とする請求項１に記載の送風装置。
【請求項３】
前記係合部の前記対向部は、長手方向の一方側の端部に下方へ突出した下方突出部を有し、長手方向の他方側の端部が前記本体支持部と連結されていることを特徴とする請求項１または２に記載の送風装置。
【請求項４】
前記本体支持部は、前記シーリングローゼットの前記取付部に前記取付部材にて取り付けられる上板部、および前記本体部に連結される本体連結部を有し、
前記係合部は、前記対向部に加えて下板部および立上り部を有し、
前記対向部は、前記本体支持部の前記上板部の上方に位置し、前記下板部は前記上板部に連結されており、前記立上り部は前記対向部と前記下板部との間に位置することを特徴とする請求項１から３のいずれか１項に記載の送風装置。
【請求項５】
前記本体支持部は、前記シーリングローゼットの前記取付部に前記取付部材にて取り付けられる上板部、および前記本体部に連結される本体連結部を有し、
前記係合部の前記対向部は、立上り部を介して前記本体支持部と連結され、
前記対向部は、前記本体支持部の前記上板部の上方に位置し、前記立上り部は上端部が前記対向部と連結され、下端部が前記上板部と連結されていることを特徴とする請求項１から３のいずれか１項に記載の送風装置。
【請求項６】
前記シーリングローゼットは、互いに反対方向へ突出する２個の前記取付部を有し、
前記係合部は、前記取付部に対応して２個設けられ、
それら係合部は、前記本体支持部を前記本体支持部の中心の周りに一方向に回転させた場合の前記対向部の前記一方向とは反対方向の端部に前記立上り部を有していることを特徴とする請求項４または５に記載の送風装置。
【請求項７】
前記本体部は、前記本体部を左右に横切る方向に送風通路を有し、
前記送風通路の一方側の第１領域と他方側の第２領域には１以上の回路基板が設けられ、
前記本体部は、前記本体部に設けられた本体側連結部を介して天井に取り付けるようになっており、
前記本体側連結部は、前記本体部の中心と重心とが一致する状態にて前記本体部を支持する位置から、前記本体部の中心と重心との不一致による前記本体部の傾きを解消する方向へずれた位置に設けられていることを特徴とする請求項１から６のいずれか１項に記載の送風装置。
【発明の詳細な説明】
【技術分野】
【０００１】
本発明は、ファンおよびモータを備え、シーリングローゼットに取り付けられる送風装置に関する。
【背景技術】
【０００２】
従来、家屋の天井に設けられたシーリングローゼットに取り付けられ、シーリングローゼットから給電され各種電気機器が知られている。シーリングローゼットに取り付ける電気機器として、特許文献１には、天井取付け照明器具が開示されている。上記照明器具は、シーリングローゼットの左右のいわゆるハンガー部にねじにて固定される。
【先行技術文献】
【特許文献】
【０００３】
【特許文献１】特開平６−３２５６１０号公報
【発明の概要】
【発明が解決しようとする課題】
【０００４】
特許文献１に記載の照明装置は、シーリングローゼットに取り付ける電気機器としては比較的軽量である。
【０００５】
一方、近年では、ファンおよびモータを備えた天井取付型の送風装置（例えば空気清浄機）が開発されている。このような送風装置は、ファンおよびモータを備えていることにより、上記照明機器と比較して重量物である。したがって、送風装置を上記照明器具と同様に、シーリングローゼットのハンガー部にねじにて固定した場合、ねじへの負荷が大きくなる。このため、ねじが損傷して送風装置がシーリングローゼットから外れ、送風装置が落下する虞がある。
【０００６】
したがって、本発明は、送風装置の本体部をシーリングローゼットに取り付けている取付部材が損傷して外れた場合であっても本体部の落下を防止することができる送風装置の提供を目的としている。
【課題を解決するための手段】
【０００７】
上記の課題を解決するために、本発明の一態様に係る送風装置は、空気を吹き出すファンおよび前記ファンを回転させるモータを有する本体部を備え、シーリングローゼットに取り付けられる送風装置において、前記本体部に連結され、前記シーリングローゼットの取付部に下方から取付部材にて取り付けられて取付状態となる本体支持部と、前記本体支持部に連結され、前記本体支持部の前記取付状態にて前記取付部の上に位置する対向部を有する係合部とを備えている。
【発明の効果】
【０００８】
本発明の一態様によれば、シーリングローゼットの取付部への取付部材による本体支持部の取付状態が解除された場合であっても、本体部が落下する事態を防止することができる。
【図面の簡単な説明】
【０００９】
【図１】本発明の実施形態の送風装置を部屋の天井へ取り付けた状態を示す斜視図である。
【図２】図２の（ａ）は、図１に示した送風装置の斜視図、図２の（ｂ）は、図２の（ａ）に示した送風装置の本体支持部付近の構成を拡大して示す斜視図である。
【図３】図２の(ａ)に示した送風装置の縦断面図である。
【図４】図４の(ａ)は、図３に示したシーリングローゼットのハンガー部に対して取付状態の本体支持部、および本体支持部に設けられた係合部の構成を示す縦断面図、図４の(ｂ)は、上記シーリングローゼットのハンガー部に対して非取付状態の本体支持部、および本体支持部に設けられた係合部の構成を示す縦断面図である。
【図５】図５の(ａ)は、図３に示したシーリングローゼットのハンガー部に対して取付状態の本体支持部、およびに本体支持部に設けられた係合部の構成を示す斜視図、図５の(ｂ)は、上記シーリングローゼットのハンガー部に対して非取付状態の本体支持部、および本体支持部に設けられた係合部の構成を示す斜視図である。
【図６】図５に示した本体支持部を示す斜視図である。
【図７】図６に示した本体支持部の底面図である。
【図８】図２の(ａ)に示した本体支持部と本体部との関係を示す斜視図である。
【図９】図８に示した本体支持部と本体部との嵌合状態を示す斜視図である。
【図１０】図３に示した本体部における上筐体部を除去した状態を示す平面図である。
【図１１】本発明の他の実施形態の送風装置が備える本体支持部材の構成を示す概略の斜視図である。
【図１２】本発明のさらに他の実施形態の送風装置が備える本体支持部および係合部の構成を示す概略の斜視図である。
【図１３】本発明のさらに他の実施形態の送風装置におけるシーリングローゼットのハンガー部に対して取付状態の本体支持部、およびに本体支持部に設けられた係合部の構成を示す斜視図である。
【発明を実施するための形態】
【００１０】
〔実施形態１〕
（送風装置の天井への取り付け構造）
本発明の実施形態を図面に基づいて以下に説明する。図１は、本実施形態の送風装置１を部屋の天井へ取り付けた状態を示す斜視図である。図２の（ａ）は、図１に示した送風装置１の斜視図、図２の（ｂ）は、図２の（ａ）に示した送風装置１の本体支持部２１付近の構成を拡大して示す斜視図である。なお、図２の(ａ)では、図１に示した下部カバー部材５２を除去した状態を示している。
【００１１】
図１に示すように、本実施形態の送風装置１は、家屋の天井パネル（天井）１１に取り付けられている。具体的には、天井パネル１１にはシーリングローゼット１２（図４参照）が設けられ、送風装置１はシーリングローゼット１２に取り付けられ、シーリングローゼット１２により支持されている。送風装置１は、図２の(ａ)(ｂ)に示すように、本体支持部２１、係合部２６および本体部２２を備えている。
（シーリングローゼット１２の構成）
図３は、図２の(ａ)に示した送風装置１の縦断面図である。図４の(ａ)は、図３に示したシーリングローゼット１２のハンガー部１３に対して取付状態の本体支持部２１、および本体支持部２１に設けられた（連結された）係合部２６の構成を示す縦断面図、図４の(ｂ)は、図３に示したシーリングローゼット１２のハンガー部１３に対して非取付状態の本体支持部２１、および本体支持部２１に設けられた（連結された）係合部２６の構成を示す縦断面図である。
【００１２】
図５の(ａ)は、シーリングローゼット１２のハンガー部１３に対して取付状態の本体支持部２１、およびに本体支持部２１に設けられた（連結された）係合部２６の構成を示す斜視図、図５の(ｂ)は、シーリングローゼット１２のハンガー部１３に対して非取付状態の本体支持部２１、および本体支持部２１に設けられた（連結された）係合部２６の構成を示す斜視図である。なお、図５では、本体支持部２１は、本体部２２の上面に設けられた（連結された）支持部材嵌合部（本体側連結部）３１に嵌合されている。
【００１３】
シーリングローゼット１２は、いわゆるハンガー付きのシーリングローゼットであり、図４の(ａ)(ｂ)に示すように、外周部の１８０度ごとの位置に各１個、合計２個のハンガー部（取付部）１３を有している。２個のハンガー部１３は、反対方向へ突出した状態であり、ねじ（取付部材）２３が締結されるねじ締結穴１３ａを有する。また、ハンガー部１３は、外側の端部に、上方へ折れ曲がった上方突出部１３ｂを有する。
【００１４】
一例として、送風装置１の重量は、約８．５ｋｇであり、シーリングローゼット１２は、送風装置１の荷重に耐え得るものである。
（本体支持部２１の構成）
図６は、図５に示した本体支持部２１を示す斜視図である。図７は、図６に示した本体支持部２１の底面図である。
【００１５】
本体支持部２１は、図４の(ａ)に示すように、シーリングローゼット１２のハンガー部１３にねじ２３にて固定される。この場合、ねじ２３は、本体支持部２１の下方から本体支持部２１の上板部２１ａのねじ穴２１ａ１（図４の(ｂ)参照）を貫通し、ハンガー部１３のねじ締結穴１３ａに締結される。
【００１６】
本体支持部２１は、例えば金属にて形成され、上板部２１ａ、円筒部２１ｂおよび鍔部（本体連結部）２１ｃを有する。上板部２１ａは、円板形状を有し、中央部に、シーリングローゼット１２の中央の突出部を貫通させる円形穴２１ａ１を有する。円筒部２１ｂは、所定高さの円筒形を有し、上縁部が上板部２１ａの外周部とつながっている。鍔部２１ｃは、円形のドーナツ板形状であり、内周部が円筒部２１ｂの下縁部とつながっている。鍔部２１ｃには、円形の多数の嵌合穴（連結位置調整部）２１ｃ１が全周に亘って形成されている。
【００１７】
（係合部２６の構成）
係合部２６は、２個のハンガー部１３に対応して、図５の(ａ)(ｂ)に示すように、本体支持部２１の上板部２１ａの上面に２個設けられている。詳細には、２個の係合部２６は、本体支持部２１の中心に対して点対称の位置に配置されている。これら係合部２６は、円環形状の上板部２１ａの形状に沿うように、円弧状に形成されている。
【００１８】
係合部２６は、対向部２６ａ、立上り部２６ｂおよび下板部２６ｃを有する。対向部２６ａは、本体支持部２１がねじにてシーリングローゼット１２のハンガー部１３に締結された状態において、ハンガー部１３と対向する。立上り部２６ｂは、下端部が下板部２６ｃの一方向の端部とつながっており、上端部が対向部２６ａの上記一方向とは反対方向の端部とつながっている。下板部２６ｃは、本体支持部２１の上板部２１ａ上に位置し、上板部２１ａに例えばねじにて固定されている。
【００１９】
係合部２６の対向部２６ａは、図４の(ａ)に示すように、本体支持部２１をねじ２３にてハンガー部１３に締結した状態においてハンガー部１３の上方突出部１３ｂと対向する位置に、上方突出部１３ｂを通すことができる突出部挿入穴（突出部挿入部）２６ａ１を有している。突出部挿入穴２６ａ１には、図４の(ｂ)に示すように、ねじ２３がハンガー部１３のねじ締結穴１３ａから外れて本体支持部２１すなわち送風装置１が下方へ移動した場合に、シーリングローゼット１２のハンガー部１３の上方突出部１３ｂが嵌合するようになっている。本実施形態において、突出部挿入穴２６ａ１は、ハンガー部１３の上方突出部１３ｂの形状に合わせて、長方形の角穴となっている。ただし、突出部挿入穴２６ａ１の形状は、長方形の角穴が好ましものの、この形状に限定されず、ハンガー部１３の上方突出部１３ｂを挿入可能であり、上方突出部１３ｂの移動を規制できる形状であればよい。
【００２０】
また、図５の(ａ)(ｂ)に示すように、対向部２６ａは、ねじ２３との干渉を避ける、例えば切欠き状のねじ挿通部２６ａ２を有している。さらに、対向部２６ａは、長手方向における上記一方向の端部に、下方突出部２６ａ３を有している。下方突出部２６ａ３は、ねじ２３がハンガー部１３のねじ締結穴１３ａから外れて本体支持部２１すなわち送風装置１が下方へ移動し、対向部２６ａがハンガー部１３上に載った場合に、対向部２６ａがハンガー部１３の上から外れる事態を防止する。
【００２１】
（支持部材嵌合部３１の構成）
図８は、図２の(ａ)に示した本体支持部２１と本体部２２との関係を示す斜視図である。図９は、図８に示した本体支持部２１と本体部２２との嵌合状態を示す斜視図である。
【００２２】
本体部２２は、図８に示すように、上面部の中央位置に、本体支持部２１と嵌合する支持部材嵌合部３１を有する。支持部材嵌合部３１は、断面Ｚ形状の部材をＵ字形に湾曲させた状態のものである。支持部材嵌合部３１は、具体的には、それぞれＵ字形の上板部３１ａ、立上り部３１ｂおよび下板部３１ｃを有する。上板部３１ａは、Ｕ字形の支持部材嵌合部３１の内側に位置している。支持部材嵌合部３１のＵ字形の両端部間は、横方向に開口した嵌合開口部３１ｄとなっている。
【００２３】
上板部３１ａは、外周部が立上り部３１ｂの上縁部とつながっている。上板部３１ａは、Ｕ字形の中途部分に下方へ突出した嵌合凸部（連結位置調整部）３１ａ２を有する。立上り部３１ｂは、下縁部が下板部３１ｃの内周部とつながっている。下板部３１ｃは、本体部２２の上面部に固定されている。
【００２４】
（本体支持部２１により本体部２２を支持する構成）
本体部２２の支持部材嵌合部３１は、図９に示すように、本体支持部２１と嵌合する。この場合、本体支持部２１の鍔部２１ｃが、支持部材嵌合部３１の対向する立上り部３１ｂの間に位置し、支持部材嵌合部３１の上板部３１ａが本体支持部２１の鍔部２１ｃの上に位置する。これにより、本体部２２は、本体支持部２１によって支持される。また、支持部材嵌合部３１の上板部３１ａの嵌合凸部３１ａ２が、本体支持部２１の鍔部２１ｃの嵌合穴２１ｃ１に嵌合している。これにより、本体部２２は、回転しないように固定される。
【００２５】
本体支持部２１は、上記のように、上部（上板部２１ａ）がシーリングローゼット１２に固定され、下部（鍔部２１ｃ）に本体部２２が嵌合され、上部と下部との間に、上下方向に延びる中間部（円筒部２１ｂ）を有している。
【００２６】
（本体部２２の構成）
図１０は、図３に示した本体部２２における上筐体部４１を除去した状態を示す平面図である。図３および図１０に示すように、本体部２２は、上筐体部４１、送風機４２、送風通路４３（図１０参照）、ＨＥＰＡフィルタ(High Efficiency Particulate Air Filter)４４、照明部４５、イオン発生素子４６（図１０参照）、プレフィルタ（図示せず）、下部カバー部材５２およびルーバリング５８を備えている。
【００２７】
上筐体部４１は、本体部２２の最上部に位置し、本体部２２の内部を上から覆っている。上筐体部４１は、周縁部が下方へ湾曲して傾斜した形状となっている。上筐体部４１には、上記支持部材嵌合部３１が取り付けられている。
【００２８】
送風機４２は、支持部材嵌合部３１すなわちシーリングローゼット１２の真下の位置に配置され、ファン４７およびファン４７を回転させるモータ４８を備えている。これらファン４７およびモータ４８は、鉛直方向において、これらファン４７およびモータ４８の中心が本体部２２の重心とほぼ一致するように、本体部２２の径方向（天井と平行な方向）の中央部に設けられている。
【００２９】
ファン４７は、図１０に示すように、送風通路４３の内部に設けられている。送風通路４３は、二つの吹出口４３ａを反対方向に有し、ファン４７が回転することにより、それら吹出口４３ａから空気を吹き出すようになっている。吹出口４３ａには、上下方向に延びるルーバ５７が設けられている。
【００３０】
イオン発生素子４６は、送風通路４３の二つの吹出口４３ａの近傍位置にそれぞれ設けられ、イオンを発生し、発生したイオンを吹出口４３ａから吹き出される空気に与える。
【００３１】
ＨＥＰＡフィルタ４４は、集塵フィルタとしての機能を有し、本体部２２の下部に設けられている。ＨＥＰＡフィルタ４４の下には、プレフィルタが設けられている。プレフィルタは、ＨＥＰＡフィルタ４４の前段にて、埃やゴミを除去する。
【００３２】
プレフィルタの下方には下部カバー部材５２が設けられている。下部カバー部材５２の周りは、本体部２２への吸込口６０となっている。
【００３３】
照明部４５は、照明基板５５、および照明基板５５を覆う照明カバー５６を備えている。照明基板５５は、多数のＬＥＤが設けられ、ドーナツ板形状を有している。したがって、本実施形態の送風装置１は、ＬＥＤ照明を備えたＬＥＤ装置としての機能も有する。
【００３４】
（天井への送風装置１の取り付け）
上記の構成において、天井への送風装置１の取り付け方法について説明する。
【００３５】
まず、天井パネル１１（天井）１１に設けられているシーリングローゼット１２に対して本体支持部２１を取り付ける。なお、本体支持部２１には既に係合部２６が取り付けられた状態である。
【００３６】
この場合、作業者は、本体支持部２１の上板部２１ａの係合部２６が存在しない面がシーリングローゼット１２のハンガー部１３と対向するように、シーリングローゼット１２に対して本体支持部２１を下方から当接させる。
【００３７】
次に、作業者は、本体支持部２１を回転させて、係合部２６の対向部２６ａの突出部挿入穴２６ａ１とシーリングローゼット１２のハンガー部１３の上方突出部１３ｂとを対向させる。
【００３８】
上記状態では、係合部２６の対向部２６ａがシーリングローゼット１２のハンガー部１３の上に位置し、作業者が本体支持部２１から手を離すと、係合部２６の対向部２６ａがシーリングローゼット１２のハンガー部１３の上に載置された状態となり、本体支持部２１は落下しない。また、係合部２６の対向部２６ａの突出部挿入穴２６ａ１にはシーリングローゼット１２のハンガー部１３の上方突出部１３ｂが挿入された状態となる。この状態では、本体支持部２１の上板部２１ａのねじ穴２１ａ１の位置とシーリングローゼット１２のハンガー部１３のねじ締結穴１３ａの位置とがほぼ合致している。
【００３９】
次に、作業者は、本体支持部２１をシーリングローゼット１２に押し付け、下方からねじ穴２１ａ１およびねじ締結穴１３ａにねじ２３を差し込み、ねじ２３をハンガー部１３のねじ締結穴１３ａに締結する。この作業は、２個所（２個のハンガー部１３）に対して同様に行う。これにより、図４の(ａ)および図５の(ａ)に示すように、シーリングローゼット１２に対して本体支持部２１を取り付けることができる。
【００４０】
次に、本体部２２を本体支持部２１に取り付ける。この場合、作業者は、本体部２２を天井パネル１１の位置まで持ち上げ、本体支持部２１に向って天井パネル１１の下面と並行に移動させ（図８参照）、本体部２２の支持部材嵌合部３１を本体支持部２１に嵌合させる（図９参照）。これら両者の嵌合状態では、本体支持部２１の鍔部２１ｃが、支持部材嵌合部３１の対向する立上り部３１ｂの間に位置し、支持部材嵌合部３１の上板部３１ａが本体支持部２１の鍔部２１ｃの上に位置する。これにより、本体部２２は、本体支持部２１によって支持される。
【００４１】
次に、作業者は、支持部材嵌合部３１の上板部３１ａの嵌合凸部３１ａ２が、本体支持部２１の鍔部２１ｃの嵌合穴２１ｃ１に嵌合するように、本体部２２を回転させる。これにより、本体部２２は、回転しないように固定される。
【００４２】
次に、シーリングローゼット１２と接続され、本体支持部２１の下から本体部２２の上面部へ引き出されている電源コード（図示せず）を、本体部２２の電源接続部３２と接続する。その後、電源コードを覆うように電源コードカバー（図示せず）を本体部２２に取り付ける。
【００４３】
本体支持部２１からの本体部２２の取り外しは、上述した本体支持部２１への本体部２２の取り付けと逆の手順にて行うことができる。
【００４４】
（落下防止動作）
次に、係合部２６による送風装置１（本体部２２）の落下防止動作について説明する。上記のように、送風装置１をシーリングローゼット１２に取り付けた状態において、本体支持部２１をシーリングローゼット１２のハンガー部１３に取り付けたねじ２３が外れた場合、本体部２２は落下するように下方へ移動する。
【００４５】
この場合、係合部２６の対向部２６ａがシーリングローゼット１２のハンガー部１３の上に位置しているので、対向部２６ａがハンガー部１３の上に載置された状態となり、本体部２２はそれ以上、下方へ移動しない。
【００４６】
また、係合部２６の対向部２６ａがハンガー部１３の上に載置された状態では、図４の(ｂ)および図５の(ｂ)に示すように、ハンガー部１３の上方突出部１３ｂが係合部２６の対向部２６ａの突出部挿入穴２６ａ１に挿入される。
【００４７】
（送風装置の利点）
本実施形態の送風装置１では、本体支持部２１をシーリングローゼット１２のハンガー部１３に取り付けているねじ２３が損傷等によって外れた場合、対向部２６ａがハンガー部１３の上に載置された状態となる。これにより、ねじ（取付部材）２３が外れた場合であっても、送風装置１が落下する事態を防止することができる。
【００４８】
また、ねじ２３が外れた場合には、ハンガー部１３の上方突出部１３ｂが係合部２６の対向部２６ａの突出部挿入穴２６ａ１に挿入される。したがって、係合部２６の対向部２６ａがシーリングローゼット１２のハンガー部１３の上から移動し難く、係合部２６の対向部２６ａがハンガー部１３の上に載置された状態を維持することができる。
【００４９】
また、仮に、ハンガー部１３の上方突出部１３ｂが係合部２６の対向部２６ａの突出部挿入穴２６ａ１に挿入されない場合であっても、係合部２６の対向部２６ａの下方突出部２６ａ３によって、ハンガー部１３が対向部２６ａから外れ難くなっている。したがって、係合部２６の対向部２６ａの下方突出部２６ａ３によっても、係合部２６の対向部２６ａがシーリングローゼット１２のハンガー部１３の上に載置された状態を維持することができる。
【００５０】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００５１】
（本体支持部材６１、本体支持部６２および係合部６３の構成）
図１１は、本実施形態の送風装置１が備える本体支持部材６１の構成を示す概略の斜視図である。本実施形態の送風装置１は、前記本体支持部２１および係合部２６に代えて、図１１に示す本体支持部材６１を備えている。
【００５２】
本体支持部材６１は、前述の本体支持部２１および係合部２６に対応する本体支持部６２および係合部６３を有する。本体支持部６２の上板部６２ａ、円筒部６２ｂ、鍔部６２ｃおよび嵌合穴６２ｃ１は、それぞれ、本体支持部２１の上板部２１ａ、円筒部２１ｂ、鍔部２１ｃおよび嵌合穴２１ｃ１に対応する。
【００５３】
係合部６３は、上板部６１ａを切り起こし加工することにより、係合部２６と同様、２個所に形成されている。係合部６３の対向部６３ａ、立上り部６３ｂ、突出部挿入穴６３ａ１、ねじ挿通部６３ａ２および下方突出部６３ａ３は、係合部２６の対向部２６ａ、立上り部２６ｂ、突出部挿入穴２６ａ１、ねじ挿通部２６ａ２および下方突出部２６ａ３に対応する。
【００５４】
本体支持部２１および係合部２６に代えて本体支持部材６１を備える送風装置１の天井への取り付け、および落下防止動作は前述した実施形態１の場合と同様である。
【００５５】
（送風装置の利点）
本実施形態の送風装置１では、本体支持部材６１が本体支持部６２と係合部６３とを備えているので部品点数を少なくすることができる。ただし、係合部６３を本体支持部６２の上板部６２ａの切り起こしによって形成しているので、係合部６３の強度を高めるために、本体支持部２１よりも本体支持部６２の板厚を厚くする、あるいは本体支持部６２（本体支持部材６１）を大型にするなどの変更を行うことが好ましい。本実施形態の送風装置１のその他の利点は、前述した実施形態１の送風装置１と同様である。
【００５６】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５７】
（係合部７１の構成）
図１２は、本実施形態の送風装置１が備える本体支持部２１および係合部７１の構成を示す概略の斜視図である。本実施形態の送風装置１は、図１２に示すように、前記本体支持部２１を備え、かつ前記係合部２６に代えて係合部７１を備えている。
【００５８】
係合部７１の対向部７１ａ、立上り部７１ｂ、下板部７１ｃ、突出部挿入穴７１ａ１、ねじ挿通部７１ａ２および下方突出部７１ａ３は、係合部２６の対向部２６ａ、立上り部２６ｂ、下板部２６ｃ、突出部挿入穴２６ａ１、ねじ挿通部２６ａ２および下方突出部２６ａ３に対応する。
【００５９】
係合部７１は、係合部２６とは異なり、対向部７１ａと下板部７１ｃとが対向しており、縦断面がコ字形となっている。下板部７１ｃは例えばねじにて本体支持部２１の上板部２１ａに固定（連結）されている。
【００６０】
係合部２６に代えて係合部７１を備える送風装置１の天井への取り付け、および落下防止動作は前述した実施形態１の場合と同様である。
【００６１】
（送風装置の利点）
本実施形態の送風装置１では、係合部７１は、対向部７１ａと下板部７１ｃとが対向しているので、本体支持部２１の上板部２１ａ上における設置領域を小さくすることができる。ただし、係合部７１は、対向部７１ａと下板部７１ｃとが対向しているので、係合部２６と比較して上下方向の寸法が大きくなる。本実施形態の送風装置１のその他の利点は、前述した実施形態１の送風装置１と同様である。
【００６２】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６３】
（送風装置の重量バランス）
本実施形態の送風装置１では、図１０に示したように、送風通路４３は、送風装置１の内部を横切るように設けられている。このため、送風装置１が備える複数の回路基板は、送風通路４３を避けて、送風通路４３と直交する方向の２個所の領域すなわち第１領域と第２領域とに分け配置している。第１領域と第２領域は、図１０では送風通路４３によって内部を分断して形成される送風装置１内の一方（上側）の領域と他方（下側）の領域である。
【００６４】
本実施形態の送風装置１は、上記回路基板として、一つの制御基板（図示せず）および二つの電源基板（図示せず）を備えている。制御基板は、例えば照明部４５および空気清浄部（イオン発生素子４６およびモータ４８）の制御基板であり、電源基板は照明部４５の電源基板、および空気清浄部の電源基板である。各電源基板はトランス等の重い部品を備えることにより、制御基板よりも重くなっている。
【００６５】
送風装置１では、上記第１領域に一つの制御基板が配置され、上記第２領域に二つの電源基板が配置されている。なお、回路基板の配置形態は、これに限定されず、第１領域に一つの制御基板と一つの電源基板が配置され、第２領域に一つ電源基板が配置されていてもよい。いずれにしても第１領域と第２領域とで重量が異なることになる。
【００６６】
このような回路基板の配置形態では、本体部２２の重心は本体部２２の中心と一致しなくなる。そこで、本実施形態の送風装置１は、送風装置１の重量バランスを考慮して、送風装置１を送風装置１の中心からずれた位置にて支持できるようにしている。
【００６７】
（送風装置の支持構造）
図１３は、本発明のさらに他の実施形態の送風装置１におけるシーリングローゼット１２のハンガー部１３に対して取付状態の本体支持部２１、およびに本体支持部２１に設けられた（連結された）係合部２６の構成を示す斜視図である。
【００６８】
本実施形態の送風装置１では、図１３に示すように、本体支持部３１は、本体部２２の重心が本体部２２の中心と一致しない状態を考慮し、本体支持部２１を支持部材嵌合部３１に嵌合した状態において、本体部２２の重心と本体支持部２１の中心とが一致するように（本体部２２を傾くことなる支持できるように）、本体部２２の中心に対してずれた位置（本体部２２の中心に対して図１３の矢印方向にずれた位置）に取り付けられている。
【００６９】
（送風装置の利点）
本実施形態の送風装置１では、本体支持部３１は、本体支持部２１を支持部材嵌合部３１に嵌合した状態において、本体部２２を傾くことなる支持できるように、本体部２２の中心に対して本体部２２の傾きを解消できる方向へずれた位置に取り付けられている。これにより、本体部２２の重心が本体部２２の中心と一致しない場合であっても、本体部２２すなわち送風装置１を天井面に対して傾くことなく取り付けることができる。本実施形態の送風装置１のその他の利点は、前述した実施形態１の送風装置１と同様である。
【００７０】
〔まとめ〕
本発明の態様１に係る送風装置は、空気を吹き出すファン４７および前記ファン４７を回転させるモータ４８を有する本体部２２を備え、シーリングローゼット１２に取り付けられる送風装置において、前記本体部２２に連結され、前記シーリングローゼット１２の取付部（ハンガー部１３）に下方から取付部材（ねじ２３）にて取り付けられて取付状態となる本体支持部２１と、前記本体支持部２１に連結され、前記本体支持部２１の前記取付状態にて前記取付部の上に位置する対向部２６ａを有する係合部２６とを備えている。
【００７１】
上記の構成によれば、ファン４７およびモータ４８を有する本体部２２に連結される本体支持部２１は、シーリングローゼット１２の取付部に下方から取付部材にて取り付けられて取付状態となる。係合部２６は、本体支持部２１に連結され、シーリングローゼット１２に対する本体支持部２１の取付状態にて、対向部２６ａがシーリングローゼット１２の取付部の上に位置する。
【００７２】
したがって、例えば取付部材（ねじ２３）が損傷して外れるなど、シーリングローゼット１２の取付部（ハンガー部１３）への取付部材による本体支持部２１の取付状態が解除された場合、対向部２６ａは取付部の上に載置された状態となる。これにより、シーリングローゼット１２の取付部への取付部材による本体支持部２１の取付状態が解除された場合であっても、本体部２２が落下する事態を防止することができる。
【００７３】
本発明の態様２に係る送風装置は、上記態様１において、前記シーリングローゼット１２の前記取付部（ハンガー部１３）は、外方側の端部に上方へ突出した上方突出部１３ｂを有し、前記係合部２６の前記対向部２６ａは、前記本体支持部２１の前記取付状態にて前記上方突出部１３ｂと対向する位置に、前記係合部２６が前記本体支持部２１とともに下方へ移動したときに前記上方突出部１３ｂが挿入される突出部挿入部（突出部挿入穴２６ａ１）を有している構成としてもよい。
【００７４】
上記の構成によれば、シーリングローゼット１２の取付部への取付部材による本体支持部２１の取付状態が解除されて、係合部２６が本体支持部２１とともに下方へ移動し、係合部２６の対向部２６ａがシーリングローゼット１２の取付部の上に載置された状態では、シーリングローゼット１２の取付部の上方突出部１３ｂが、係合部２６の対向部２６ａの突出部挿入部に挿入される。
【００７５】
これにより、シーリングローゼット１２の取付部への取付部材による本体支持部２１の取付状態が解除された場合には、対向部２６ａが取付部の上に載置された状態を維持でき、本体部２２が落下する事態を確実に防止することができる。
【００７６】
本発明の態様３に係る送風装置は、上記態様１または２において、前記係合部２６の前記対向部２６ａは、長手方向の一方側の端部に下方へ突出した下方突出部２６ａ３を有し、長手方向の他方側の端部が前記本体支持部２１と連結されている構成としてもよい。
【００７７】
上記の構成によれば、シーリングローゼット１２の取付部（ハンガー部１３）への取付部材（ねじ２３）による本体支持部２１の取付状態が解除されると、係合部２６が本体支持部２１とともに下方へ移動し、係合部２６の対向部２６ａがシーリングローゼット１２の取付部の上に載置された状態となる。この状態では、係合部２６の対向部２６ａの下方突出部２６ａ３により、取付部の上からの対向部２６ａの移動が防止され、対向部２６ａが取付部の上に載置された状態が維持される。これにより、シーリングローゼット１２の取付部への取付部材による本体支持部２１の取付状態が解除された場合に、本体部２２が落下する事態を確実に防止することができる。
【００７８】
本発明の態様４に係る送風装置は、上記態様１から３のいずれか１態様において、前記本体支持部２１は、前記シーリングローゼット１２の前記取付部（ハンガー部１３）に前記取付部材（ねじ２３）にて取り付けられる上板部２１ａ、および前記本体部２２に連結される本体連結部（鍔部２１ｃ）を有し、前記係合部２６は、前記対向部２６ａに加えて下板部２６ｃおよび立上り部２６ｂを有し、前記対向部２６ａは、前記本体支持部２１の前記上板部２１ａの上方に位置し、前記下板部２６ｃは前記上板部２１ａに連結されており、前記立上り部２６ｂは前記対向部２６ａと前記下板部２６ｃとの間に位置する構成としてもよい。
【００７９】
上記の構成によれば、係合部２６は、対向部２６ａに加えて下板部２６ｃおよび立上り部２６ｂを有し、対向部２６ａが本体支持部２１の上板部２１ａの上方に位置し、下板部２６ｃが上板部２１ａに連結されており、立上り部２６ｂが対向部２６ａと下板部２６ｃとの間に位置する簡単な構成である。これにより、簡単な構成にて、本体部２２の落下防止機能を備えることができる。
【００８０】
本発明の態様５に係る送風装置は、上記態様１から３のいずれか１態様において、前記本体支持部６２は、前記シーリングローゼット１２の前記取付部（ハンガー部１３）に前記取付部材（ねじ２３）にて取り付けられる上板部６２ａ、および前記本体部２２に連結される本体連結部（鍔部６２ｃ）を有し、前記係合部６３の前記対向部６３ａは、立上り部６３ｂを介して前記本体支持部６２と連結されており、前記対向部６３ａは、前記本体支持部６２の前記上板部６２ａの上方に位置し、前記立上り部６３ｂは上端部が前記対向部６３ａと連結され、下端部が前記上板部６２ａと連結されている構成としてもよい。
【００８１】
上記の構成によれば、係合部６３の対向部６３ａは、立上り部６３ｂを介して本体支持部６２と連結されており、対向部６３ａは本体支持部６２の上板部６２ａの上方に位置し、立上り部６３ｂは上端部が対向部６３ａと連結され、下端部が上板部６２ａと連結されている簡単な構成である。
【００８２】
これにより、係合部６３は、本体支持部６２の上板部６２ａの一部を切り起こし加工して形成することができる。したがって、簡単かつ少ない部品数の構成にて、本体部２２の落下防止機能を備えることができる。
【００８３】
本発明の態様６に係る送風装置は、上記態様４または５において、前記シーリングローゼット１２は、互いに反対方向へ突出する２個の前記取付部（ハンガー部１３）を有し、前記係合部２６，６３は、前記取付部（ハンガー部１３）に対応して２個設けられ、それら係合部２６，６３は、前記本体支持部２１を前記本体支持部２１の中心の周りに一方向に回転させた場合の前記対向部２６ａ，２６ｂの前記一方向とは反対方向の端部に前記立上り部２６ｂ，６３ｂを有している構成としてもよい。
【００８４】
上記の構成によれば、係合部２６，６３は、シーリングローゼット１２の２個の取付部に対応して２個設けられ、それら係合部２６，６３は、本体支持部２１を本体支持部２１の中心の周りに一方向に回転させた場合の対向部２６ａ，６３ａの一方向とは反対方向の端部に立上り部２６ｂ，６３ｂを有している。したがって、本体支持部２１をシーリングローゼット１２の取付部に取り付ける場合に、本体支持部２１を、シーリングローゼット１２の下に配置し、一方向に回転させることにより、係合部２６，６３の対向部２６ａ，６３ａをシーリングローゼット１２の取付部の上に容易かつ確実に配置することができる。
【００８５】
本発明の態様７に係る送風装置は、上記態様１から６のいずれか１態様において、前記本体部２２は、前記本体部２２を左右に横切る方向に送風通路４３を有し、前記送風通路４３の一方側の第１領域と他方側の第２領域には１以上の回路基板が設けられ、前記本体部２２は、前記本体部２２に設けられた本体側連結部（支持部材嵌合部３１）を介して天井に取り付けるようになっており、前記本体側連結部は、前記本体部２２の中心と重心とが一致する状態にて前記本体部２２を支持する位置から、前記本体部２２の中心と重心との不一致による前記本体部２２の傾きを解消する方向へずれた位置に設けられている構成としてもよい。
【００８６】
上記の構成によれば、本体側連結部は、本体部２２の中心と重心とが一致する状態にて本体部２２を支持する位置から、本体部２２の中心と重心との不一致による本体部２２の傾きを解消する方向へずれた位置に設けられている。したがって、本体部２２の送風通路の一方側の第１領域に配置される回路基板と他方側の第２領域に配置される回路基板との重量が異なることにより、重量バランスが崩れた場合であっても、本体部２２が傾く事態を防止することができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１      送風装置
１１      天井パネル
１２      シーリングローゼット
１３      ハンガー部（取付部）
１３ａ    ねじ締結穴
１３ｂ    上方突出部
２１，６２      本体支持部
２１ａ，６２ａ    上板部
２１ａ１  ねじ穴
２１ｂ，６２ｂ    円筒部
２１ｃ，６２ｃ    鍔部（本体連結部）
２１ｃ１，６２ｃ１  嵌合穴（連結位置調整部）
２２      本体部
２３      ねじ（取付部材）
２６，６３，７１  係合部
２６ａ，６３ａ，７１ａ    対向部
２６ａ１，６３ａ１，７１ａ１  突出部挿入穴（突出部挿入部）
２６ａ２，６３ａ２，７１ａ２  ねじ挿通部
２６ａ３，６３ａ３，７１ａ３  下方突出部
２６ｂ，６３ｂ，７１ｂ    立上り部
２６ｃ，６３ｃ，７１ｃ    下板部
３１      支持部材嵌合部（本体側連結部）
３１ａ    上板部
３１ａ２  嵌合凸部（連結位置調整部）
３１ｂ    立上り部
３１ｃ    下板部
３１ｄ    嵌合開口部
４１      上筐体部
４２      送風機
４３      送風通路
４３ａ    吹出口
４７      ファン
４８      モータ
６１      本体支持部材
【図１】
2019086166.tif 000003
【図２】
2019086166.tif 000004
【図３】
2019086166.tif 000005
【図４】
2019086166.tif 000006
【図５】
2019086166.tif 000007
【図６】
2019086166.tif 000008
【図７】
2019086166.tif 000009
【図８】
2019086166.tif 000010
【図９】
2019086166.tif 000011
【図１０】
2019086166.tif 000012
【図１１】
2019086166.tif 000013
【図１２】
2019086166.tif 000014
【図１３】
2019086166.tif 000015